(57)【特許請求の範囲】
【請求項１】
電界の方向に応じて移動する帯電粒子を有する第１の表示部と、
前記第１の表示部と対向して設けられ、電界の方向に応じて移動する帯電粒子を有する第２の表示部と、
前記第１の表示部と前記第２の表示部とに共通に設けられ、該第１の表示部及び該第２の表示部に共通に用いられる共通電極を有する共通基板と、
前記共通基板に対向して、該共通基板との間で前記第１の表示部の帯電粒子を内包するように設けられた第１の電極を有する第１の表示基板と、
前記共通基板に対向して、該共通基板との間で前記第２の表示部の帯電粒子を内包するように設けられた第２の電極を有する第２の表示基板と、
前記第１の表示部と前記第２の表示部とで別々に電界を発生させるように、前記共通電極と、前記第１の電極又は前記第２の電極とに電力を供給する画像表示媒体制御手段とを備え、
前記画像表示媒体制御手段は、前記第１の表示部に電界を発生させるときは前記第２の電極を電気的に切り離した状態に制御し、前記第２の表示部に電界を発生させるときは前記第１の電極を電気的に切り離した状態に制御することを特徴とする画像表示装置。
【請求項２】
前記共通電極は駆動側電極として機能し、
前記第１の電極は前記共通電極に対する接地側電極として機能し、
前記第２の電極は前記共通電極に対する接地側電極として機能し、
前記共通電極と前記第１の電極との間に電界を発生させて前記第１の表示部の帯電粒子を移動させ、又は前記共通電極と前記第２の電極との間に電界を発生させて前記第２の表示部の帯電粒子を移動させることを特徴とする請求項１に記載の画像表示装置。
【請求項３】
前記共通電極は接地側電極として機能し、
前記第１の電極は駆動側電極として機能し、
前記第２の電極は駆動側電極として機能し、
前記共通電極と前記第１の電極との間に電界を発生させて前記第１の表示部の帯電粒子を移動させ、又は前記共通電極と前記第２の電極との間に電界を発生させて前記第２の表示部の帯電粒子を移動させることを特徴とする請求項１に記載の画像表示装置。
【請求項４】
前記共通電極は電流を導く複数の導線が並列に配設された電極であり、
前記第１の電極は、前記共通電極の複数の導線と直交する方向に複数の導線が並列に配設された電極であり、
前記第２の電極は、前記共通電極の複数の導線と直交する方向に複数の導線が並列に配設された電極であって、
前記共通電極と前記第１の電極との間に電界を発生させて前記第１の表示部の帯電粒子を移動させ、又は前記共通電極と前記第２の電極との間に電界を発生させて前記第２の表示部の帯電粒子を移動させることを特徴とする請求項１に記載の画像表示装置。
【請求項５】
前記第１の電極及び第２の電極は、透光性の電極であることを特徴とする請求項１乃至４のいずれかに記載の画像表示装置。
【請求項６】
前記画像表示媒体制御手段は、前記第１の表示部の帯電粒子と前記第２の表示部の帯電粒子とに同様の影響を与えるように電力を供給することを特徴とする請求項１乃至５のいずれかに記載の画像表示装置。
【請求項７】
前記画像表示媒体制御手段は、前記第１の表示部への電界発生のための印加電圧の大きさと前記第２の表示部への電界発生のための印加電圧の大きさとを制御することで、前記第１の表示部における電界による影響と前記第２の表示部における電界による影響とを同一にすることを特徴とする請求項６に記載の画像表示装置。
【請求項８】
前記画像表示媒体制御手段は、前記第１の表示部への電界発生のための電圧の印加時間と前記第２の表示部への電界発生のための電圧の印加時間とを制御することで、前記第１の表示部における電界による影響と前記第２の表示部における電界による影響とを同一にすることを特徴とする請求項６に記載の画像表示装置。
【請求項９】
前記共通基板における前記第１の表示部側の面又は前記第２の表示部側の面に、前記共通電極が設けられ、
前記第１の表示部及び前記第２の表示部のうち、前記共通基板において前記共通電極が設けられた面側の一方の表示部における帯電粒子の濃度よりも、他方の表示部における帯電粒子の濃度の方が大きいことを特徴とする請求項６に記載の画像表示装置。
【請求項１０】
前記画像表示媒体制御手段は、前記第１の表示部又は前記第２の表示部に電界を発生させる場合、正と負とを別々に電界を発生させることを特徴とする請求項１乃至９のいずれかに記載の画像表示装置。
【発明の詳細な説明】
【技術分野】
【０００１】
本発明は、画像表示装置に関し、詳細には、１つの筐体の両面に画像を表示できる画像表示装置に関する。
【背景技術】
【０００２】
従来、電気泳動現象を利用して画像を表示する電気泳動表示装置が知られている。この電気泳動表示装置では、一方が透明な表示基板と、それに対向配置される背面基板とにより、周囲のギャップスペーサーを介して所定間隔を設けた密閉空間が形成され、この密閉空間に着色された帯電粒子を含む液体分散媒が充填された表示部が形成される。そして、この表示部に電界を発生させることで、液体分散媒中の帯電粒子を表示基板側に移動させて、帯電粒子の色を表示基板の表面に表示させたり、又は帯電粒子を背面基板側に移動させて、その帯電粒子の色を表示させないようにしたりすることで、所望の画像を得るものである。
【０００３】
また、２つの電気泳動表示装置の背面基板同士が接合されたような１つの電気泳動表示装置を形成し、各々の表示基板において正反対方向にそれぞれ画像を映し出すことができる両面表示タイプの電気泳動表示装置が知られている（例えば、特許文献１参照。）。このような両面表示タイプの電気泳動表示装置では、複数の表示基板を用いた多彩な表示が可能であり、また筐体の周囲を取り巻く複数人に対して同時に画像を見せることができる。
【特許文献１】特開２００３−１８６０６２号公報
【発明の開示】
【発明が解決しようとする課題】
【０００４】
しかしながら、上記の従来技術では、１つの筐体の両面に画像を表示できるといっても、実質的には１つの筐体に２つの電気泳動表示装置を具備させたにすぎないため、このような両面表示タイプの電気泳動表示装置では製造コスト及び部品数を低減させることが困難であった。
【０００５】
そこで、１つの電気泳動表示装置において、背面基板も透明な表示面として利用することで、部品数と製造コストを低減して両面表示を実現することが考えられる。しかしながら、背面基板を透明な表示面とした構成で表示部に電界を発生させると、その表示基板では図１７に示す正常な画像が表示される一方、その背面基板では図１８に示すように表示される画像及びその色彩が反転してしまう問題があった。これは、表示部の電界発生によって、画像を表示すべき帯電粒子が表示基板の方向へ移動して、その帯電粒子の色が表示基板の表面に現れる反面、背面基板の方向には画像を表示すべき帯電粒子以外の帯電粒子が移動するため、背面基板の表面には画像を表示すべき帯電粒子以外のものが表示されることによる。
【０００６】
本発明は上記課題を解決するためになされたものであり、１つの筐体の両面に画像を表示でき、かつその製造コスト及び部品数が低減された画像表示装置の提供を目的とする。
【課題を解決するための手段】
【０００７】
上記目的を達成するために、請求項１に係る発明の画像表示装置は、電界の方向に応じて移動する帯電粒子を有する第１の表示部と、前記第１の表示部と対向して設けられ、電界の方向に応じて移動する帯電粒子を有する第２の表示部と、前記第１の表示部と前記第２の表示部とに共通に設けられ、該第１の表示部及び該第２の表示部に共通に用いられる共通電極を有する共通基板と、前記共通基板に対向して、該共通基板との間で前記第１の表示部の帯電粒子を内包するように設けられた第１の電極を有する第１の表示基板と、前記共通基板に対向して、該共通基板との間で前記第２の表示部の帯電粒子を内包するように設けられた第２の電極を有する第２の表示基板と、前記第１の表示部と前記第２の表示部とで別々に電界を発生させるように、前記共通電極と、前記第１の電極又は前記第２の電極とに電力を供給する画像表示媒体制御手段とを備え、前記画像表示媒体制御手段は、前記第１の表示部に電界を発生させるときは前記第２の電極を電気的に切り離した状態に制御し、前記第２の表示部に電界を発生させるときは前記第１の電極を電気的に切り離した状態に制御することを特徴とする。
【０００８】
また、請求項２に係る発明の画像表示装置では、請求項１に記載の発明の構成に加えて、前記共通電極は駆動側電極として機能し、前記第１の電極は前記共通電極に対する接地側電極として機能し、前記第２の電極は前記共通電極に対する接地側電極として機能し、前記共通電極と前記第１の電極との間に電界を発生させて前記第１の表示部の帯電粒子を移動させ、又は前記共通電極と前記第２の電極との間に電界を発生させて前記第２の表示部の帯電粒子を移動させることを特徴とする。
【０００９】
また、請求項３に係る発明の画像表示装置では、請求項１に記載の発明の構成に加えて、前記共通電極は接地側電極として機能し、前記第１の電極は駆動側電極として機能し、前記第２の電極は駆動側電極として機能し、前記共通電極と前記第１の電極との間に電界を発生させて前記第１の表示部の帯電粒子を移動させ、又は前記共通電極と前記第２の電極との間に電界を発生させて前記第２の表示部の帯電粒子を移動させることを特徴とする。
【００１０】
また、請求項４に係る発明の画像表示装置では、請求項１に記載の発明の構成に加えて、前記共通電極は電流を導く複数の導線が並列に設けられた電極であり、前記第１の電極は、前記共通電極の複数の導線と直交する方向に複数の導線が並列に配設された電極であり、前記第２の電極は、前記共通電極の複数の導線と直交する方向に複数の導線が並列に配設された電極であって、前記共通電極と前記第１の電極との間に電界を発生させて前記第１の表示部の帯電粒子を移動させ、又は前記共通電極と前記第２の電極との間に電界を発生させて前記第２の表示部の帯電粒子を移動させることを特徴とする。
【００１１】
また、請求項５に係る発明の画像表示装置では、請求項１乃至４のいずれかに記載の発明の構成に加えて、前記第１の電極及び第２の電極は、透光性の電極であることを特徴とする。
【００１３】
また、請求項６に係る発明の画像表示装置では、請求項１乃至５のいずれかに記載の発明の構成に加えて、前記画像表示媒体制御手段は、前記第１の表示部の帯電粒子と前記第２の表示部の帯電粒子とに同様の影響を与えるように電力を供給することを特徴とする。
【００１４】
また、請求項７に係る発明の画像表示装置では、請求項６に記載の発明の構成に加えて、前記画像表示媒体制御手段は、前記第１の表示部への電界発生のための印加電圧の大きさと前記第２の表示部への電界発生のための印加電圧の大きさとを制御することで、前記第１の表示部における電界による影響と前記第２の表示部における電界による影響とを同一にすることを特徴とする。
【００１５】
また、請求項８に係る発明の画像表示装置では、請求項６に記載の発明の構成に加えて、前記画像表示媒体制御手段は、前記第１の表示部への電界発生のための電圧の印加時間と前記第２の表示部への電界発生のための電圧の印加時間とを制御することで、前記第１の表示部における電界による影響と前記第２の表示部における電界による影響とを同一にすることを特徴とする。
【００１６】
また、請求項９に係る発明の画像表示装置では、請求項６に記載の発明の構成に加えて、前記共通基板における前記第１の表示部側の面又は前記第２の表示部側の面に、前記共通電極が設けられ、前記第１の表示部及び前記第２の表示部のうち、前記共通基板において前記共通電極が設けられた面側の一方の表示部における帯電粒子の濃度よりも、他方の表示部における帯電粒子の濃度の方が大きいことを特徴とする。
【００１９】
また、請求項１０に係る発明の画像表示装置では、請求項１乃至９のいずれかに記載の発明の構成に加えて、前記画像表示媒体制御手段は、前記第１の表示部又は前記第２の表示部に電界を発生させる場合、正と負とを別々に電界を発生させることを特徴とする。
【発明の効果】
【００２１】
請求項１に係る発明の画像表示装置では、共通電極を有する共通基板に対向して、帯電粒子を有する第１の表示部を内包するように第１の電極を有する第１の表示基板を設け、かつ帯電粒子を有する第２の表示部を内包するように第２の電極を有する第２の表示基板を設けた。よって、１つの画像表示媒体の両面に画像を表示でき、また、１つの共通電極を共用することで製造コスト及び部品数が低減できる。
また、画像表示装置では画像表示媒体における表示態様を制御することができ、かつ１つの筐体の両面に画像を表示できる。
また、第１の表示部と第２の表示部とで別々に電界を発生させるようにしたので、１つの共通電極によっても、筐体の両面に画像を表示させることができる。
また、すでに一方に表示された画像に影響を与えることなく、他方の面に画像を表示させることができ、筐体の両面に画像を正確に表示させることができる。
【００２２】
また、請求項２に係る発明の画像表示装置では、請求項１に記載の発明の効果に加え、駆動側電極である共通電極と、接地側電極である第１の電極及び第２の電極とで、それぞれ電界を発生させて第１の表示部の帯電粒子及び第２の表示部の帯電粒子を移動させる。よって、１つの画像表示媒体の両面に画像を表示でき、また、１つの共通電極を共用することで製造コスト及び部品数が低減できる。
【００２３】
また、請求項３に係る発明の画像表示装置では、請求項１に記載の発明の効果に加え、接地側電極である共通電極と、駆動側電極である第１の電極及び第２の電極とで、それぞれ電界を発生させて第１の表示部の帯電粒子及び第２の表示部の帯電粒子を移動させる。よって、１つの画像表示媒体の両面に画像を表示でき、また、１つの共通電極を共用することで製造コスト及び部品数が低減できる。
【００２４】
また、請求項４に係る発明の画像表示装置では、請求項１に記載の発明の効果に加え、複数の導線が配設された共通電極と、共通電極の導線に対して直交に複数の導線が配設された第１の電極及び第２の電極とで、それぞれ電界を発生させて第１の表示部の帯電粒子及び第２の表示部の帯電粒子を移動させる。よって、１つの画像表示媒体の両面に画像を表示でき、また、１つの共通電極を共用することで製造コスト及び部品数が低減できる。
【００２５】
また、請求項５に係る発明の画像表示装置では、請求項１乃至４のいずれかに記載の発明の効果に加え、第１の電極及び第２の電極は透光性の電極であるので、１つの画像表示媒体の両面に画像を表示できる。
【００２７】
また、請求項６に係る発明の画像表示装置では、請求項１乃至５のいずれかに記載の発明の効果に加え、第１の表示部の帯電粒子と第２の表示部の帯電粒子とに同様の影響を与えるように電力を供給するので、１つの筐体の両面に同様の画質の画像を表示できる。
【００２８】
また、請求項７に係る発明の画像表示装置では、請求項６に記載の発明の効果に加え、第１の表示部への印加電圧の大きさと第２の表示部への印加電圧の大きさとを制御して、第１の表示部の帯電粒子と第２の表示部の帯電粒子とに同様の影響を与えるようにするので、１つの筐体の両面に同様の画質の画像を表示できる。
【００２９】
また、請求項８に係る発明の画像表示装置では、請求項６に記載の発明の効果に加え、第１の表示部への電圧の印加時間と第２の表示部への電圧の印加時間とを制御して、第１の表示部の帯電粒子と第２の表示部の帯電粒子とに同様の影響を与えるようにするので、１つの筐体の両面に同様の画質の画像を表示できる。
【００３０】
また、請求項９に係る発明の画像表示装置では、請求項６に記載の発明の効果に加え、共通基板の片面に共通電極が設けられ、第１の表示部及び第２の表示部のうち、共通電極が設けられた方の表示部における帯電粒子の濃度を、他方の表示部における帯電粒子の濃度よりも大きい。よって、１つの筐体の両面に同様の画質の画像を表示できる。
【００３３】
また、請求項１０に係る発明の画像表示装置では、請求項１乃至９のいずれかに記載の発明の効果に加え、第１の表示部又は第２の表示部に電界を発生させる場合、正と負とを別々に電界を発生させるので、すでに一方に表示された画像に影響を与えることなく、他方の面に画像を表示させることができ、筐体の両面に画像を正確に表示させることができる。
【発明を実施するための最良の形態】
【００３５】
以下、本発明に係る画像表示媒体を具体化した表示パネル１と、本発明に係る画像表示装置を具体化した携帯端末装置２との第１の実施の形態について図面を参照して説明する。本実施の形態として例示する表示パネル１は携帯用の電子機器に具備可能な小型の表示パネルであり、携帯端末装置２は各種画像を表示可能な電子ブックやＰＤＡなどの携帯用電子機器である。
【００３６】
まず、本実施の形態の表示パネル１及び携帯端末装置２の構成の概略について図面を参照して説明する。図１は表示パネル１及び携帯端末装置２の電気的構成を示すブロック図、図２は表示パネル１の物理的構成を示す側面断面図である。
【００３７】
図１に示すように、表示パネル１は携帯端末装置２に接続されて、表示パネル１での画像表示が携帯端末装置２により制御される構成となっている。表示パネル１と携帯端末装置２とは、各々に設けられた接続端子３１，３２において相互に電気的に接続され、各種信号や画像情報の入出力が可能である。このように、表示パネル１と携帯端末装置２とは独立した構成となっているため、利用者は携帯端末装置２を携行して任意の表示パネル１と接続させて画像を表示させることができる。なお、本実施の形態では、表示パネル１及び携帯端末装置２において、図１及び図２で右方向が正面方向、左方向が背面方向とする。
【００３８】
図１及び図２に示すように、表示パネル１の内部には、表示パネル１の前後方向（図中の左右方向）の略中央位置で垂直に設けられた共通基板１０が設けられる。所定幅の板状部材である共通基板１０は、絶縁材料からなる部材である共通基板層１０ａと、その共通基板層１０ａの片面に共通駆動電極層１０ｂとを備える。共通基板層１０ａは、ポリエチレンテレフタレートやガラスなどの高い絶縁性を発揮可能な材料により構成されるが、好適には変位電流は通すが導電電流に対しては高い抵抗を示す誘電体により構成される。また、共通基板層１０ａは、有色あるいは透明の任意の色を用いればよいが、本実施の形態では白色の部材として設けられる。また、共通駆動電極層１０ｂは第１表示部１２又は第２表示部１４に電界を発生させる駆動側電極である。本実施の形態では、共通基板層１０ａはプラスチック基板であり、共通駆動電極層１０ｂは薄膜トランジスタ（ＴＦＴ）をアクティブ駆動用の駆動素子として用いる駆動回路であり、共通基板層１０ａの背面（第２表示基板１３と対向する面）に設けられる。
【００３９】
次に、第１表示基板１１について説明する。共通基板１０の正面方向（図中で右方向）において、共通基板１０に対向して、かつ並行に第１表示基板１１が設けられる。第１表示基板１１には、透明な部材により構成されて表示面として機能する第１基板層１１ａと、第１基板層１１ａの背面（図中では左側）に設けられた第１対向電極層１１ｂとが設けられる。第１基板層１１ａはポリエチレンテレフタレート，ガラスなどの高い透明性を発揮可能な材料により構成される。第１対向電極層１１ｂは、共通駆動電極層１０ｂに対する接地側電極である。本実施の形態では、第１基板層１１ａは透明なガラス基板であり、第１対向電極層１１ｂは酸化インジウムすず（ＩＴＯ）により形成された透明電極である。つまり、第１基板層１１ａ及び第１対向電極層１１ｂは透明体であるから、利用者は表示パネル１の正面方向（図中の右方向）から、第１表示基板１１を通して、第１表示部１２を目視可能な構成となっている。
【００４０】
次に、第１表示部１２について説明する。対向して設けられる共通基板１０及び第１表示基板１１と、共通基板１０及び第１表示基板１１の周囲を固定するギャップスペーサー（図示外）とで形成される間隙が、第１表示部１２である。第１表示部１２には、共通基板１０及び第１表示基板１１との間隙に架設され、その間隙を分割して複数の小区画のセルを形成するとともに、共通基板１０及び第１表示基板１１を支持する複数のスペーサ１２ｃが設けられる。スペーサ１２ｃは略長方形状の板状部材であり、ポリエチレンテレフタレートなどの合成樹脂で構成されればよい。
【００４１】
また、第１表示部１２の内部には、液体分散媒１２ａ及び帯電粒子１２ｂが充填される。液体分散媒１２ａとしては、高絶縁性を発揮可能で、かつ粘性の低いアルコール類，炭化水素，シリコーンオイルなどを利用できる。帯電粒子１２ｂは、液体分散媒１２ａ中において帯電可能な材料が用いられ、有機化合物や無機化合物からなる顔料や染料、もしくは顔料や染料を合成樹脂で包んだものからなる。本実施の形態では、液体分散媒１２ａはアルコール類からなる白色液体であり、帯電粒子１２ｂはカーボンブラックをポリエチレン樹脂で包んだ黒色粒子である。
【００４２】
このような構成において、表示制御部２８により制御されて、共通駆動電極層１０ｂが駆動側電極、第１対向電極層１１ｂが接地側電極として各々機能して、第１表示部１２に電界を発生させる。すると、正あるいは負に帯電した帯電粒子１２ｂがその反対極性の電位である電極側に移動する。そして、この電極側が第１表示基板１１の場合、帯電粒子１２ｂの黒色が正面方向（図中の右方向）に表示される。また、電界の方向を反転すると帯電粒子１２ｂが共通基板１０に移動して、液体分散媒１２ａの白色が正面方向（図中の右方向）に表示される。
【００４３】
一方、共通基板１０の背面方向（図中で左方向）には、共通基板１０に対向して、かつ共通基板１０と並行に第２表示基板１３が設けられる。そして、対向して設けられる共通基板１０及び第２表示基板１３と、共通基板１０及び第２表示基板１３の周囲を固定するギャップスペーサー（図示外）とで形成される間隙が、第２表示部１４である。第２表示基板１３には、第２基板層１３ａと第２対向電極層１３ｂとが設けられる。また、第２表示部１４の内部に複数のスペーサ１４ｃが設けられて、液体分散媒１４ａ及び帯電粒子１４ｂが充填される。なお、第２表示基板１３，第２基板層１３ａ，第２対向電極層１３ｂ，第２表示部１４，液体分散媒１４ａ，帯電粒子１４ｂ，スペーサ１４ｃは、それぞれ第１表示基板１１，第１基板層１１ａ，第１対向電極層１１ｂ，第１表示部１２，液体分散媒１２ａ，帯電粒子１２ｂ，スペーサ１２ｃと同一部材である。
【００４４】
このような構成において、表示制御部２８により制御されて、共通駆動電極層１０ｂが駆動側電極、第２対向電極層１３ｂが接地側電極として各々機能して、第２表示部１４に電界を発生させる。すると、正あるいは負に帯電した帯電粒子１４ｂがその反対極性の電位である電極側に移動する。そして、この電極側が第２表示基板１３の場合、帯電粒子１４ｂの黒色が背面方向（図中の左方向）に表示される。また、電界の方向を反転すると帯電粒子１４ｂが共通基板１０に移動して、液体分散媒１４ａの白色が背面方向（図中の左方向）に表示される。
【００４５】
すなわち、本実施の携帯の表示パネル１は、第１表示基板１１と第２表示基板１３、第１表示部１２と第２表示部１４などの各々の部材が、共通基板１０を中心として前後方向（図中の左右方向）に対称的に設けられた構成となっている。そして、共通駆動電極層１０ｂ，第１対向電極層１１ｂ，第２対向電極層１３ｂへの電力供給を制御して、第１表示部１２及び第２表示部１４において駆動電極位置，電界強度，印加時間等を調整することで、正面方向及び背面方向に任意の画像を表示させることができる。
【００４６】
また、図１に示すように、携帯端末装置２の内部には、表示パネル１及び携帯端末装置２を制御するための各種機能を具備する制御部２０が設けられ、制御部２０にはその制御を実行するＣＰＵ２１が設けられる。このＣＰＵ２１には、バス２７を介し、ＣＰＵ２１が実行するＢＩＯＳ等のプログラムを記憶したＲＯＭ２２と、データを一時的に記憶するＲＡＭ２３と、データの入出力が行われる外部インターフェイス３０と、データの記憶装置であるハードディスクドライブ（以下、「ＨＤＤ」という。）２４とが接続される。また、利用者が携帯端末装置２に各種情報を入力したり、携帯端末装置２における各種操作をするためのボタンやスイッチを備えた入力パネル２６と、それらの入力の検知を行うキーコントローラ２５とが、バス２７を介してＣＰＵ２１に接続される。外部インターフェイス３０には、データの記憶媒体であるＣＤ−ＲＯＭが挿入されるＣＤ−ＲＯＭドライブが接続されている。ＨＤＤ２４には、入力パネル２６から入力された情報や、ＣＤ−ＲＯＭドライブから読み込まれた画像情報等が記憶されている。なお、外部インターフェイス３０は、ＣＤ−ＲＯＭドライブの他に、メモリーカードやネットワークに接続可能である。
【００４７】
また、各種画像を表示パネル１に表示するための画像表示処理を行う表示制御部２８がバス２７を介してＣＰＵ２１に接続され、この表示制御部２８による制御のもと、表示パネル１における第１表示部１２又は第２表示部１４での電界発生を切り替えるスイッチ回路２９が設けられる。画像表示処理を実行しないときは、スイッチ回路２９はＳＷ１及びＳＷ２のいずれもＯＮしない状態におかれるため、表示パネル１の全体が電気的に切断された状態となる。
【００４８】
なお、携帯端末装置２に、図示外のフロッピー（登録商標）ディスクドライブ、音声等の入出力部、各種インターフェイスなどを設けてもよい。また、先述のように、表示パネル１と携帯端末装置２とは接続端子３１，３２において相互に接続されて各種信号や画像情報が入出力されるが、これら各種信号や画像情報を有効に入出力するためのＩ／Ｏインターフェイス（図示外）が、表示パネル１及び携帯端末装置２に設けられる。また、表示パネル１での画像表示は表示制御部２８により制御されるところ、この表示制御部２８を制御して各種画像を表示パネル１に表示させる表示制御プログラム（図示外）が、ＲＯＭ２２に記憶される。
【００４９】
次に、表示パネル１を構成する各基板（共通基板１０，第１表示基板１１，第２表示基板１３）の構成の詳細について説明する。図３は共通基板１０の正面図、図４は第１表示基板１１（第２表示基板１３）の正面図である。
【００５０】
図３に示すように、共通基板１０は、正面視、略正方形に形成されたプラスチック基板である共通基板層１０ａの背面（第２表示基板１３と対向する面）に、共通駆動電極層１０ｂが設けられる。共通駆動電極層１０ｂには、電流を導く導線（図示外）が格子上にはりめぐらせてあり、導線が交差する位置毎にアクティブ素子である薄膜トランジスタ（ＴＦＴ）が設けられている。
【００５１】
図４に示すように、第１表示基板１１は、正面視、略正方形に形成されたガラス基板である第１基板層１１ａの背面（共通基板１０と対向する面）に、酸化インジウムすず（ＩＴＯ）により形成された第１対向電極層１１ｂが設けられる。第１対向電極層１１ｂは、共通駆動電極層１０ｂに対する接地側電極として機能し、共通駆動電極層１０ｂとの間で第１表示部１２に電界を発生させる。同様に、第２表示基板１３も、ガラス基板である第２基板層１３ａの正面（共通基板１０と対向する面）に、酸化インジウムすず（ＩＴＯ）により形成された第２対向電極層１３ｂが設けられる。第２対向電極層１３ｂは、共通駆動電極層１０ｂに対する接地側電極として機能し、共通駆動電極層１０ｂとの間で第２表示部１４に電界を発生させる。
【００５２】
このような表示パネル１では、共通駆動電極層１０ｂの格子状導線（図示外）に縦横それぞれのタイミングによって電気信号が送られると、導線が交差する位置の薄膜トランジスタ（ＴＦＴ）が駆動する。そして、対向する共通基板１０（図３）と第１表示基板１１（図４）との間に設けられた第１表示部１２に電界を発生させて、その帯電粒子１２ｂ（図２）を共通基板１０又は第１表示基板１１に移動させる。また、対向する共通基板１０（図３）と第２表示基板１３（図４）との間に設けられた第２表示部１４に電界を発生させて、その帯電粒子１４ｂ（図２）を共通基板１０又は第２表示基板１３に移動させる。すなわち、表示パネル１では、いわゆるアクティブマトリックス駆動方式による表示動作が実行される。
【００５３】
次に、本実施の形態の表示パネル１及び携帯端末装置２における画像表示動作を、図面参照して説明する。図５は正面方向へ画像表示する場合の電気的構成を示すブロック図、図６は正面方向へ画像表示する場合の物理的構成を示す側面断面図、図７は正面方向への画像表示動作を説明するための図である。また、図８は背面方向へ画像表示する場合の電気的構成を示すブロック図、図９は背面方向へ画像表示する場合の物理的構成を示す側面断面図、図１０は背面方向への画像表示動作を説明するための図である。
【００５４】
本実施の形態では、携帯端末装置２において、ＨＤＤ２４に記憶される画像情報に基づく所定の画像を表示させる指示がなされると、表示パネル１において、まず正面方向（第１表示基板１１）に対してその画像が表示され、その後に背面方向（第２表示基板１３）にその画像と同様の画質の画像が表示されて、表示パネル１で両面表示が実行される。なお、正面方向の画像と背面方向の画像を異ならせてもよいことはいうまでもない。
【００５５】
図５に示すように、まず表示制御部２８によりスイッチ回路２９において「ＳＷ１」がＯＮされ、共通駆動電極層１０ｂに電圧が印加される。すると、共通基板１０の共通駆動電極層１０ｂと第１表示基板１１の第１対向電極層１１ｂとの間に設けられた第１表示部１２に電界が発生する。一方、スイッチ回路２９において「ＳＷ２」はＯＦＦされるから、第２表示基板１３の第２対向電極層１３ｂは電気的に切断された状態となるため、第２表示部１４には電界が発生しない。
【００５６】
図６に示すように、第１表示部１２に電界が発生すると、その電界の方向に応じて、正あるいは負に帯電した帯電粒子１２ｂが、共通基板１０又は第１表示基板１１の方向へ移動する。具体的には、帯電粒子１２ｂが正に帯電している場合、共通駆動電極層１０ｂが陰極、第１対向電極層１１ｂが陽極であれば、電界は第１対向電極層１１ｂ→共通駆動電極層１０ｂへ向かい、帯電粒子１２ｂは共通駆動電極層１０ｂの方向へ移動する。逆に、共通駆動電極層１０ｂが陽極、第１対向電極層１１ｂが陰極であれば、電界は共通駆動電極層１０ｂ→第１対向電極層１１ｂへ向かい、帯電粒子１２ｂは第１対向電極層１１ｂの方向へ移動する。なお、帯電粒子１２ｂが負に帯電している場合は、帯電粒子１２ｂは極性が陽極の基板の方へ移動することになる。そして、帯電粒子１２ｂが第１表示基板１１の方向に移動すると、利用者は第１表示基板１１の正面方向（図中の右方向）から、その帯電粒子１２ｂの黒色を目視できる。一方、帯電粒子１２ｂが共通基板１０の方向に移動すると、利用者に対して液体分散媒１２ａの白色が表示される。
【００５７】
携帯端末装置２では、ＲＯＭ２２に記憶される表示制御プログラムによって、表示対象の画像情報に基づいて表示制御部２８が制御され、この表示制御部２８により表示パネル１で電界が発生される。これにより、共通駆動電極層１０ｂに具備される複数の薄膜トランジスタ（ＴＦＴ）毎にその極性が制御されて、画像表示に必要な位置へ帯電粒子１２ｂを移動させる。その結果、第１表示基板１１の正面方向（図中の右方向）に所定の画像が表示される。
【００５８】
なお、上記の画像表示動作によって所定の画像が表示された後は、電圧印加を停止しても、ヒステリシス特性のためにその画像がそのまま表示された状態に維持されることになる。
【００５９】
上記の画像表示動作の詳細を、図７を参照して説明する。帯電粒子１２ｂが正に帯電しており、共通駆動電極層１０ｂに電極Ａ，電極Ｂ，電極Ｃが設けられ、第１表示基板１１の正面方向（図中の右方向）に画像を表示する場合を例示する。
【００６０】
まず、画像（画素）を表示させる位置に相当する電極Ａに、＋１０Ｖの電位を与えるように電圧を印加する。同時に、電極Ｃにも＋１０Ｖの電位を与えるように電圧を印加する。すると、電極Ａ（電極Ｃ）の近傍に存在する帯電粒子１２ｂは、電極Ａ（電極Ｃ）と対向する第１対向電極層１１ｂの方向に移動する。次に、画像（画素）を表示させない電極Ｂに、−１０Ｖの電位を与えるように電圧を印加する。すると、電極Ｂの近傍に存在する帯電粒子１２ｂは、電極Ｂの方向に移動する。なお、共通駆動電極層１０ｂを正の電位とする印加と、負の電位とする印加とは、いずれを先後としてもよい。
【００６１】
このように、共通駆動電極層１０ｂの各電極を正とする印加と、共通駆動電極層１０ｂの各電極を負とする印加とが異なるタイミングで実行される。言い換えれば、共通駆動電極層１０ｂが同時に正と負の電位とならないように制御される。これは、共通駆動電極層１０ｂにおける正の電位となる電極と負の電位となる電極とが、同時に第１対向電極層１１ｂとの間で電界を発生させると、未接続（グランド側）の第２対向電極層１３ｂにおいても、その導体に沿って電流が流れ、共通駆動電極層１０ｂと第１対向電極層１１ｂとの間で閉回路が形成されて、その影響により第２表示部１４の帯電粒子１４ｂも移動してしまうことを防ぐためである。これにより、第２表示部１４に影響を与えることなく、第１表示部１２において所定の画像を形成することができる。
【００６２】
次に、図８に示すように、表示制御部２８によりスイッチ回路２９において「ＳＷ２」がＯＮされ、共通駆動電極層１０ｂに電圧が印加される。すると、共通基板１０の共通駆動電極層１０ｂと第２表示基板１３の第２対向電極層１３ｂとの間に設けられた第２表示部１４に電界が発生する。一方、スイッチ回路２９において「ＳＷ１」はＯＦＦされるから、第１表示基板１１の第１対向電極層１１ｂは電気的に切断された状態となるため、第１表示部１２には電界が発生しない。
【００６３】
図９に示すように、第２表示部１４に電界が発生すると、その電界の方向に応じて、正あるいは負に帯電した帯電粒子１４ｂが、共通基板１０又は第２表示基板１３の方向へ移動する。具体的には、帯電粒子１４ｂが正に帯電している場合、共通駆動電極層１０ｂが陰極、第２対向電極層１３ｂが陽極であれば、電界は第２対向電極層１３ｂから共通駆動電極層１０ｂへ向かい、帯電粒子１４ｂは共通駆動電極層１０ｂの方向へ移動する。逆に、共通駆動電極層１０ｂが陽極、第２対向電極層１３ｂが陰極であれば、電界は共通駆動電極層１０ｂから第２対向電極層１３ｂへ向かい、帯電粒子１４ｂは第２対向電極層１３ｂの方向へ移動する。なお、帯電粒子１４ｂが負に帯電している場合は、帯電粒子１４ｂは極性が陽極の基板の方へ移動することになる。そして、帯電粒子１４ｂが第２表示基板１３の方向に移動すると、利用者は第２表示基板１３の背面方向（図中の左方向）から、その帯電粒子１４ｂの黒色を目視できる。一方、帯電粒子１４ｂが共通基板１０の方向に移動すると、利用者に対して液体分散媒１４ａの白色が表示される。
【００６４】
携帯端末装置２では、ＲＯＭ２２に記憶される表示制御プログラムによって、表示対象の画像情報に基づいて表示制御部２８が制御され、この表示制御部２８により表示パネル１で電界が発生される。これにより、共通駆動電極層１０ｂに具備される複数の薄膜トランジスタ（ＴＦＴ）毎にその極性が制御されて、画像表示に必要な位置へ帯電粒子１４ｂが移動させる。その結果、第２表示基板１３の背面方向（図中の左方向）に所定の画像が表示される。
【００６５】
上記の画像表示動作の詳細を、図１０を参照して説明する。帯電粒子１４ｂが正に帯電しており、共通駆動電極層１０ｂに電極Ａ，電極Ｂ，電極Ｃが設けられ、第２表示基板１３の背面方向（図中の左方向）に画像を表示する場合を例示する。
【００６６】
まず、画像（画素）を表示させる位置に相当する電極Ａに、＋１０Ｖの電位を与えるように電圧を印加する。同時に、電極Ｃにも＋１０Ｖの電位を与えるように電圧を印加する。すると、電極Ａ（電極Ｃ）の近傍に存在する帯電粒子１４ｂは、電極Ａ（電極Ｃ）と対向する第２対向電極層１３ｂの方向に移動する。次に、画像（画素）を表示させない電極Ｂに、−１０Ｖの電位を与えるように電圧を印加する。すると、電極Ｂの近傍に存在する帯電粒子１４ｂは、電極Ｂの方向に移動する。なお、共通駆動電極層１０ｂを正の電位とする印加と、負の電位とする印加とは、いずれを先後としてもよい。
【００６７】
このように、図７と同様に、共通駆動電極層１０ｂの各電極を正とする印加と、共通駆動電極層１０ｂの各電極を負とする印加とが異なるタイミングで実行されるように制御されるため、第１表示部１２に影響を与えることなく、第２表示部１４において所定の画像を形成することができる。特に、第１表示部１２には既に画像が形成されており、第１表示部１２に電界の影響が及ぶとその画像を崩すおそれがあるが、上記動作により第１表示部１２に何ら影響を与えることなく、第２表示部１４に画像を形成することができる。
【００６８】
ところで、第１表示部１２及び第２表示部１４には、同一の電界が発生することを要する。詳細には、第１表示部１２及び第２表示部１４での電界強度が同一であり、かつ共通駆動電極層１０ｂにおける極性が同一であり、さらに第１対向電極層１１ｂにおける極性と第２対向電極層１３ｂにおける極性とが、共通基板１０を中心として前後方向（図中の左右方向）に対称であることを要する。これにより、帯電粒子１２ｂと帯電粒子１４ｂとが、共通基板１０を中心として前後方向（図中の左右方向）に対称となるように移動されて、表示パネル１の両面に同様の画質の画像を表示させることができる。
【００６９】
一方で、共通駆動電極層１０ｂは共通基板層１０ａの片面に設けられているため、共通基板層１０ａの幅（厚み）により、駆動側電極である共通駆動電極層１０ｂから接地側電極である第１対向電極層１１ｂ及び第２対向電極層１３ｂまでの各々の距離が異なる。すなわち、共通駆動電極層１０ｂからみて、第１対向電極層１１ｂの方が第２対向電極層１３ｂよりも遠くに位置するため、それぞれに対して同一強度の電圧を印加しても、第１表示部１２における電界強度は第２表示部１４における電界強度よりも小さくなる。そこで、以下のような手段によって、第１表示部１２及び第２表示部１４に同一の電界強度を発生させる。
【００７０】
（１）印加電圧の調整
第１表示部１２への電界発生時は、第２表示部１４への電界発生時に対して電圧印加時間は同一であるが、より大きな電圧が印加されるように、共通駆動電極層１０ｂ，第１対向電極層１１ｂ，第２対向電極層１３ｂへの印加電圧を調整することで、第１表示部１２及び第２表示部１４における電界強度を同一にすることができる。この調整は、表示制御プログラムにより制御される表示制御部２８により実行される。このとき、電極間距離やその間にある各種部材の誘電率を考慮する必要がある。例えば、第１表示部１２への電界発生時には１０Ｖを５μｓ印加し、第２表示部１４への電界発生時には８Ｖを５μｓ印加する。
【００７１】
（２）印加時間の調整
第１表示部１２への電界発生時は、第２表示部１４への電界発生時に対して電圧値は同一であるが、より長時間の電圧が印加されるように、共通駆動電極層１０ｂ，第１対向電極層１１ｂ，第２対向電極層１３ｂへの印加時間を調整することで、第１表示部１２及び第２表示部１４における電界強度を同一にすることができる。この調整は、表示制御プログラムにより制御される表示制御部２８により実行される。このとき、電極間距離やその間にある各種部材の誘電率を考慮する必要がある。例えば、第１表示部１２への電界発生時には１０Ｖを５μｓ印加し、第２表示部１４への電界発生時には１０Ｖを４μｓ印加する。
【００７２】
（３）組成濃度の調整
第１表示部１２における帯電粒子１２ｂの組成濃度（液体分散媒１２ａに対する帯電粒子１２ｂが含まれる割合）を、第２表示部１４における帯電粒子１４ｂの組成濃度よりも大きな値となるように、第１表示部１２及び第２表示部１４を構成する。これにより、それぞれに対して同一電圧値及び同一印加時間の電圧を印加しても、第１表示部１２及び第２表示部１４における電界強度を同一とすることができる。この組成濃度の調整は、表示パネル１の製造時において、共通駆動電極層１０ｂからの第１対向電極層１１ｂ及び第２対向電極層１３ｂの各々に対する距離の差を考慮して、設計者又は製造者が第１表示部１２及び第２表示部１４における組成濃度を任意に設定すればよい。このとき、電極間距離やその間にある各種部材の誘電率も考慮する必要がある。
【００７３】
上記のような手段により、第１表示部１２及び第２表示部１４に同一の電界強度を発生させて、その帯電粒子１２ｂ及び帯電粒子１４ｂに同様の影響を与えることができる。よって、１つの共通駆動電極層１０ｂを共通基板層１０ａの片面にだけ設けた場合でも、表示パネル１の両面に同様の画質の画像を確実に表示させることができる。
【００７４】
以上、第１の実施の形態の表示パネル１及び携帯端末装置２によれば、共通駆動電極層１０ｂ及び第１対向電極層１１ｂにより第１表示部１２に電界を発生させて、帯電粒子１２ｂを移動させて第１表示基板１１の正面方向に所定の画像を表示する一方、共通駆動電極層１０ｂ及び２対向電極１３ｂにより第２表示部１４に電界を発生させて、帯電粒子１４ｂを移動させて第２表示基板１３の背面方向に所定の画像を表示する。よって、１つの表示パネル１の両面に画像を表示でき、かつ１つの共通駆動電極層１０ｂを共用することで、部品数及び製造コストを削減できる。
【００７５】
また、第１表示部１２及び第２表示部１４に同一の電界を発生させて、その帯電粒子１２ｂ及び帯電粒子１４ｂに同様の影響を与えることができるので、帯電粒子１２ｂと帯電粒子１４ｂとが共通基板１０を中心として前後方向（図中の左右方向）に対称となるように移動される。よって、１つの表示パネル１の両面に同様の画質の画像を表示でき、かつ色彩や画像が反転することのないようにすることができる。
【００７６】
また、第１表示基板１１で画像表示が実行された後、その表示された画像がヒステリシス特性によって維持された状態で、第２表示基板１３での画像表示動作が実行され、また、第２表示基板１３への画像表示動作の実行中は、第１対向電極層１１ｂが電気的に切断された状態におかれる。よって、第２表示基板１３の画像表示動作が、先に第１表示基板１１に表示された画像に悪影響を及ぼすことがないので、１つの表示パネル１の両面に同様の画質の画像を正確に表示できる。
【００７７】
また、共通基板１０は、共通基板層１０ａの片面に共通駆動電極層１０ｂを設けた簡易な構成であるため、表示パネル１を容易に製造することでき、かつその部品数及び製造コストを削減できる。
【００７８】
次に、本発明に係る第２の実施の形態について図面を参照して説明する。本実施の形態における表示パネル１及び携帯端末装置２は、基本的に第１の実施の形態と同一であるが、表示パネル１の構成が異なる。図１１は、第２の実施の形態における、表示パネル１の物理的構成を示す側面断面図である。図１２は、第２の実施の形態における、共通基板１０の正面図である。図１３は、第２の実施の形態における、第１表示基板１１（第２表示基板１３）の正面図である。
【００７９】
図１１及び図１２に示すように、共通基板１０は、正面視、略正方形のプラスチック基板である共通基板層１０ａの背面（第２表示基板１３と対向する面）に、酸化インジウムすず（ＩＴＯ）により形成された共通対向電極層１０ｃが設けられる。共通対向電極層１０ｃは、第１駆動電極層１１ｃ又は第２駆動電極層１３ｃに対する接地側電極として機能し、第１駆動電極層１１ｃ又は第２駆動電極層１３ｃからの電圧印加によって、第１表示部１２又は第２表示部１４に電界を発生させる。
【００８０】
図１１及び図１３に示すように、第１表示基板１１は、正面視、略正方形のガラス基板である第１基板層１１ａの背面（共通基板１０と対向する面）に、第１駆動電極層１１ｃが設けられる。同様に、第２表示基板１３は、ガラス基板である第２基板層１３ａの正面（共通基板１０と対向する面）に、第２駆動電極層１３ｃが設けられる。第１駆動電極層１１ｃ及び第２駆動電極層１３ｃには、電流を導く導線が格子上にはりめぐらせてあり、その導線により形成される格子毎にアクティブ素子である薄膜トランジスタ（ＴＦＴ）が設けられる。
【００８１】
このように、本実施の形態の表示パネル１では、第１の実施の形態とは逆に、共通基板１０に接地側電極が設けられ、第１表示基板１１及び第２表示基板１３に駆動側電極が設けられる。そして、第１の実施の形態と同様に、表示制御部２８によりスイッチ回路２９において「ＳＷ１」がＯＮされ、第１駆動電極層１１ｃに電圧が印加されると（図５参照）、第１表示部１２に電界が発生して、第１表示基板１１の正面方向（図中の右方向）に対して所定の画像が表示される。その後、表示制御部２８によりスイッチ回路２９において「ＳＷ２」がＯＮされ、第２駆動電極層１３ｃに電圧が印加されると（図８参照）、第２表示部１４に電界が発生して、第２表示基板１３の背面方向（図中の左方向）に対して所定の画像が表示される。
【００８２】
以上、第２の実施の形態の表示パネル１及び携帯端末装置２によれば、第１表示基板１１の正面方向に所定の画像を表示する一方、第２表示基板１３の背面方向にも所定の画像を表示するので、１つの表示パネル１の両面に画像を表示でき、かつ１つの共通対向電極層１０ｃを共用することで、部品数及び製造コストを削減できる。
【００８３】
次に、本発明に係る第３の実施の形態について図面を参照して説明する。本実施の形態における表示パネル１及び携帯端末装置２は、基本的に第１及び第２の実施の形態と同一であるが、表示パネル１の構成が異なる。図１４は、第３の実施の形態における、表示パネル１の物理的構成を示す側面断面図である。図１５は、第３の実施の形態における、共通基板１０の正面図である。図１６は、第３の実施の形態における、第１表示基板１１（第２表示基板１３）の正面図である。
【００８４】
図１４及び図１５に示すように、共通基板１０は、正面視、略正方形のプラスチック基板である共通基板層１０ａの背面（第２表示基板１３と対向する面）に、共通Ｙ電極層１０ｄが設けられる。共通Ｙ電極層１０ｄには、電流を導く複数の導線が垂直方向（Ｙ方向）に並行に配設される。
【００８５】
図１４及び図１６に示すように、第１表示基板１１は、正面視、略正方形のガラス基板である第１基板層１１ａの背面（共通基板１０と対向する面）に、第１Ｘ電極層１１ｄが設けられる。同様に、第２表示基板１３は、第２基板層１３ａの背面（共通基板１０と対向する面）に、第２Ｘ電極層１３ｄが設けられる。第１Ｘ電極層１１ｄ及び第２Ｘ電極層１３ｄには、電流を導く複数の導線が水平方向（Ｘ方向）に並行に配設される。
【００８６】
このような表示パネル１では、共通Ｙ電極層１０ｄ及び第１Ｘ電極層１１ｄ（第２Ｘ電極層１３ｄ）の各々の導線が交差する格子状をなし、これらの各導線に各々所定のタイミングによって電気信号が送られると、導線が交差する位置で電圧が印加される。そして、対向する共通基板１０（図１５）と第１表示基板１１（図１６）との間に設けられた第１表示部１２に電界を発生させて、その帯電粒子１２ｂ（図１４）を共通基板１０又は第１表示基板１１に移動させる。また、対向する共通基板１０（図１５）と第２表示基板１３（図１６）との間に設けられた第２表示部１４に電界を発生させて、その帯電粒子１４ｂ（図１４）を共通基板１０又は第２表示基板１３に移動させる。すなわち、表示パネル１では、いわゆる単純マトリックス駆動方式による表示動作が実行される。
【００８７】
そして、第１の実施の形態と同様に、表示制御部２８によりスイッチ回路２９において「ＳＷ１」がＯＮされ、共通Ｙ電極層１０ｄ及び第１Ｘ電極層１１ｄに電圧が印加されると（図５参照）、第１表示部１２に電界が発生して、第１表示基板１１の正面方向（図中の右方向）に所定の画像が表示される。その後、表示制御部２８によりスイッチ回路２９において「ＳＷ２」がＯＮされ、共通Ｙ電極層１０ｄ及び第２Ｘ電極層１３ｄに電圧が印加されると（図８参照）、第２表示部１４に電界が発生して、第２表示基板１３の背面方向（図中の左方向）に所定の画像が表示される。
【００８８】
以上、第３の実施の形態の表示パネル１及び携帯端末装置２によれば、第１表示基板１１の正面方向に所定の画像を表示する一方、第２表示基板１３の背面方向にも所定の画像を表示するので、１つの表示パネル１の両面に画像を表示でき、かつ薄膜トランジスタ（ＴＦＴ）が不要な単純マトリックス駆動方式により、部品数及び製造コストをさらに削減できる。
【００８９】
ところで、上記第１乃至第３の実施の形態において、第１表示部１２が本発明の「第１の表示部」に相当し、第２表示部１４が本発明の「第２の表示部」に相当する。共通基板１０が本発明の「共通基板」に相当し、共通駆動電極層１０ｂ，共通対向電極層１０ｃ，共通Ｙ電極層１０ｄが、本発明の「共通電極」に相当する。第１表示基板１１が本発明の「第１の表示基板」に相当し、第１対向電極層１１ｂ，第１駆動電極層１１ｃ，第１Ｘ電極層１１ｄが、本発明の「第１の電極」に相当する。第２表示基板１３が本発明の「第２の表示基板」に相当し、第２対向電極層１３ｂ，第２駆動電極層１３ｃ，第２Ｘ電極層１３ｄが、本発明の「第２の電極」に相当する。
【００９０】
また、表示制御部２８及びスイッチ回路２９が本発明の「画像表示媒体制御手段」に相当し、接続端子３２が本発明の「電気的接続部」に相当し、制御部２０が本発明の「制御体」に相当する。
【００９１】
なお、本発明は、以上詳述した実施の形態に限定されるものではなく、各種の変形が可能なことはいうまでもない。
【００９２】
上記第１乃至第３の実施の形態では、共通基板１０において、共通基板層１０ａの背面（第２表示基板１３と対向する面）に、各種共通電極（共通駆動電極層１０ｂ，共通対向電極層１０ｃ，共通Ｙ電極層１０ｄ）が設けられているが、各種共通電極を共通基板層１０ａの正面（第１表示基板１１と対向する面）に設けてもよい。
【００９３】
なお、各種共通電極を共通基板層１０ａの断面中央に設けてもよい。この場合には、各種共通電極から第１の基板１１に設けられる電極までの距離と、各種共通電極から第２の基板１３に設けられる電極までの距離とが等しいため、上述のように、印加電圧，印加時間，帯電粒子の濃度などを調整する必要がない。
【００９４】
また、上記第１乃至第３の実施の形態では、正面方向（第１表示基板１１）に所定の画像を表示させた後に背面方向（第２表示基板１３）に同様の画質の画像を表示させているが、所定の画像を背面方向（第２表示基板１３）に表示させた後に正面方向（第１表示基板１１）に同様の画質の画像を表示させてもよい。さらに、正面方向の画像と背面方向の画像は同一である必要はなく、異なる画像を表示してもよい。
【００９５】
なお、スイッチ回路２９においては、上記実施の形態のように一方に対して完全に画像を表示させてから他方に印加を切り替えることに限定されず、任意のタイミングで印加を切り替えることができる。例えば、所定の時間、一方に印加したら、画像表示の途中であっても、他方に印加を切り替える。そして、所定の時間、他方に印加したら、画像表示の途中であっても、一方に印加を切り替える。このように印加を交互に切り替えるようにして、表示パネル１の両面に画像が表示されるようにしてもよい。
【００９６】
また、第３の実施の形態において、共通Ｙ電極層１０ｄを導線が水平方向に設けられた共通Ｘ電極層とし、第１Ｘ電極層１１ｄ（第２Ｘ電極層１３ｄ）を導線が垂直方向に設けられた第１Ｙ電極層（第２Ｙ電極層）として、各々の導線が交差する方向を逆にしてもよい。すなわち、共通基板１０と第１表示基板１１（第２表示基板１３）とで、一方の基板に配設される導線と直交する方向に、他方の基板で導線が配設されるマトリックス構造の電極が形成されればよい。
【００９７】
また、本発明が適用される電気泳動式の画像表示媒体及び画像表示装置としては、上記実施の形態に示すものに限定されず、各種のものに適用できる。例えば、帯電粒子を含む液体分散媒が充填された表示部に、球状体，マイクロカプセル，板状部材などの各種部材が設けられたものや、極性の異なる２種類の帯電粒子を備えたものや、カラー表示可能な電気泳動式の画像表示媒体及び画像表示装置にも適用できる。
【産業上の利用可能性】
【００９８】
本発明の画像表示装置は、電気泳動式の画像表示装置として、液晶モニタ，携帯電話機，パーソナルコンピュータ，電子ブック，ＰＤＡなどの画像表示を実行する各種電子機器に適用できる。
【図面の簡単な説明】
【００９９】
【図１】表示パネル１及び携帯端末装置２の電気的構成を示すブロック図である。
【図２】表示パネル１の物理的構成を示す側面断面図である。
【図３】共通基板１０の正面図である。
【図４】第１表示基板１１（第２表示基板１３）の正面図である。
【図５】正面方向へ画像表示する場合の電気的構成を示すブロック図である。
【図６】正面方向へ画像表示する場合の物理的構成を示す側面断面図である。
【図７】正面方向への画像表示動作を説明するための図である。
【図８】背面方向へ画像表示する場合の電気的構成を示すブロック図である。
【図９】背面方向へ画像表示する場合の物理的構成を示す側面断面図である。
【図１０】背面方向への画像表示動作を説明するための図である。
【図１１】第２の実施の形態における、表示パネル１の物理的構成を示す側面断面図である。
【図１２】第２の実施の形態における、共通基板１０の正面図である。
【図１３】第２の実施の形態における、第１表示基板１１（第２表示基板１３）の正面図である。
【図１４】第３の実施の形態における、表示パネル１の物理的構成を示す側面断面図である。
【図１５】第３の実施の形態における、共通基板１０の正面図である。
【図１６】第３の実施の形態における、第１表示基板１１（第２表示基板１３）の正面図である。
【図１７】従来の技術を説明するための図である。
【図１８】従来の技術を説明するための図である。
【符号の説明】
【０１００】
１    表示パネル
２    携帯端末装置
１０    共通基板
１０ａ    共通基板層
１０ｂ    共通駆動電極層
１０ｃ    共通対向電極層
１０ｄ    共通Ｙ電極層
１１    第１表示基板
１１ａ    第１基板層
１１ｂ    第１対向電極層
１１ｃ    第１駆動電極層
１１ｄ    第１Ｘ電極層
１２    第１表示部
１２ａ    液体分散媒
１２ｂ    帯電粒子
１２ｃ    スペーサ
１３    第２表示基板
１３ａ    第２基板層
１３ｂ    第２対向電極層
１３ｃ    第２駆動電極層
１３ｄ    第２Ｘ電極層
１４    第２表示部
１４ａ    液体分散媒
１４ｂ    帯電粒子
１４ｃ    スペーサ
２０    制御部
２１    ＣＰＵ
２２    ＲＯＭ
２３    ＲＡＭ
２４    ＨＤＤ
２５    キーコントローラ
２６    入力パネル
２７    バス
２８    表示制御部
２９    スイッチ回路
３０    外部インターフェイス
３１    接続端子
３２    接続端子
【図１】
0004613514.tif 000002
【図２】
0004613514.tif 000003
【図５】
0004613514.tif 000004
【図６】
0004613514.tif 000005
【図７】
0004613514.tif 000006
【図８】
0004613514.tif 000007
【図９】
0004613514.tif 000008
【図１０】
0004613514.tif 000009
【図１１】
0004613514.tif 000010
【図１４】
0004613514.tif 000011
【図３】
0004613514.tif 000012
【図４】
0004613514.tif 000013
【図１２】
0004613514.tif 000014
【図１３】
0004613514.tif 000015
【図１５】
0004613514.tif 000016
【図１６】
0004613514.tif 000017
【図１７】
0004613514.tif 000018
【図１８】
0004613514.tif 000019